(57)【要約】【課題】再封のための特別な部材を包装袋に付加することなく再封することができ、また、包装袋の１端辺を切断することにより大きく開封して、内容物が容易に取り出すことのできる、再封機能付き包装袋を提供する。【解決手段】外層と内層からなる積層フィルムを製袋した包装袋であって、該包装袋の１端辺近傍に設けられた、外層をカットした外層ハーフカットには、一部で前記１端辺側に突出した湾曲部が設けられ、内層に設けた内層ハーフカットが、前記湾曲部以外では外層ハーフカットに沿うように、略直線状に設けられ、少なくとも外層ハーフカットの湾曲部と内層ハーフカットに挟まれた領域の内層と外層の間に粘着層が設けられている。【選択図】図１
2012081967.tif 000002
【特許請求の範囲】
【請求項１】
外層と内層からなる積層フィルムを製袋した包装袋であって、
該包装袋の１端辺近傍に設けられた、前記外層をカットした外層ハーフカットには、一部で前記１端辺側に突出した湾曲部が設けられ、前記内層をカットした内層ハーフカットが、略直線状に、前記湾曲部以外では前記外層ハーフカットに沿うように設けられ、少なくとも前記外層ハーフカットの前記湾曲部と前記内層ハーフカットに挟まれた領域の前記内層と前記外層の間に粘着層が設けられていることを特徴とする再封機能付き包装袋。
【請求項２】
外層と内層からなる積層フィルムを製袋した、背シール部と天シール部と地シール部を有する包装袋であって、
前記天シール部近傍に設けられた、前記外層をカットした外層ハーフカットには、前記包装袋の前記背シール部の無い面の一部で前記天シール部側に突出した湾曲部が設けられ、前記背シール部で一致し、前記内層をカットした内層ハーフカットが、略直線状に、前記湾曲部以外では前記外層ハーフカットに沿うように設けられ、前記背シール部で一致し、少なくとも前記外層ハーフカットの前記湾曲部と前記内層ハーフカットに挟まれた領域の前記内層と前記外層の間に粘着層が設けられていることを特徴とする再封機能付き包装袋。
【請求項３】
外層と内層からなる積層フィルムを製袋した、側シール部と天シール部と地シール部を有する包装袋であって、
前記天シール部近傍に設けられた、前記外層をカットした外層ハーフカットには、前記包装袋の表裏いずれかの面の一部で前記天シール部側に突出した湾曲部が設けられ、前記外層ハーフカットは前記側シール部で一致し、前記内層をカットした内層ハーフカットが、略直線状に、前記湾曲部以外では前記外層ハーフカットに沿うように設けられ、前記側シール部で一致し、少なくとも前記外層ハーフカットの前記湾曲部と前記内層ハーフカットに挟まれた領域の前記内層と前記外層の間に粘着層が設けられていることを特徴とする再封機能付き包装袋。
【請求項４】
前記外層がポリエチレンテレフタレート層を有し、ポリエチレンテレフタレート層と前記内層の間に前記粘着層が設けられていることを特徴とする請求項１乃至３のいずれか１項に記載の再封機能付き包装袋。
【発明の詳細な説明】
【技術分野】
【０００１】
本発明は、再封機能付き包装袋に関するものである。
【背景技術】
【０００２】
菓子や食肉加工品、冷凍食品、あるいはトイレタリー製品などで、複数個の物が内容物として、包装袋に入れられて販売されているものがある。消費者が購入して開封して、内容物の一部を包装袋から取り出して、残った内容物をその包装袋のまま保存することがあるが、この場合、開封部を折り込んでクリップや、輪ゴムなどの封止手段を用いて留めて封止していた。
【０００３】
しかし、封止手段が手元にないと封止できないなどの不便があった。そこで、包装袋の開口部側の表裏フィルムの内面に互いに嵌合可能な凹部及び凸部からなるジッパーを設けた包装袋があるが、ジッパーを取り付けるにはある程度、強度や腰のある包装材料を用いる必要があり、また、ピロー袋などには製袋機などの問題で取り付けることが難しい。
【０００４】
そこで、ウエットティッシュなどでは、袋の一面に切込によって開口部を設け、開口部に粘着剤の付いたフィルム状の蓋材を貼って、粘着剤によって再封機能を持たせた包装袋があった（例えば、特許文献１）。
【０００５】
また、類似の考え方で、包装袋の一面に略Ｕ型の切込を設け開口部となるようにし、その切込を覆うように粘着剤の付いたラベルを貼着した再封機能付き包装袋もあった（例えば、特許文献２）。
【０００６】
さらには、サイドガゼットを有する包装袋と包装袋の内部に封入された保形部材からなる直方体の包装体で、上部のガゼット折り部を長くして、開閉フラップとして、開閉フラップを折り込んで袋の前面に粘着剤で留められるようにし、開閉フラップを折り込まれた内面に開口部を設けた包装体もあった(例えば、特許文献３)。
【０００７】
一方、外層と内層の２重の包装材からなるパッケージで、パッケージの一つの面の外層にＵ字型の切込を設け、内層には外層の切込のＵ字の間に相似形の切込を設けておき、外層のＵ字型の切込の先端に設けたつまみ部を持って、外層のＵ字型の切込で囲まれた部位を剥離すると、内層のＵ字型の切込で囲まれた部位も剥がれて開口され、そのとき、可聴音がして、これを再封しても開封したことがわかるようにした包装袋など（例えば、特許文献４）がある。
【０００８】
また、同様な構造で、開封することによって変形あるいは湾曲して、再封しても開封したことがわかるようにした包装袋などがあった(例えば、特許文献５など)。
公知文献を以下に示す。
【先行技術文献】
【特許文献】
【０００９】
【特許文献１】特開２００７−１１９０４６号公報
【特許文献２】特開２００４−０２６１８８号公報
【特許文献３】特開平１０−１４７３６５号公報
【特許文献４】特開２００８−２６５８７６号公報
【特許文献５】特開２０１０−０４７３２０号公報
【発明の概要】
【発明が解決しようとする課題】
【００１０】
前述の包装袋などは、蓋材やラベルなどの再封のための部材を付加したり、包装袋を余分に大きくしたり、また、工程が複雑であったりする問題があった。さらに、包装袋の一面に開口部を設けるため、内容物が取り出しにくいことがあるなどの問題もある。
【００１１】
本発明は、再封のための特別な部材を包装袋に付加することなく再封することができ、また、包装袋の１端辺を切断することにより大きく開封して、内容物が容易に取り出すことのできる、再封機能付き包装袋を提供することを課題とする。
【課題を解決するための手段】
【００１２】
本発明は係る課題に鑑みなされたものであり、請求項１の発明は、外層と内層からなる積層フィルムを製袋した包装袋であって、
該包装袋の１端辺近傍に設けられた、前記外層をカットした外層ハーフカットには、一部で前記１端辺側に突出した湾曲部が設けられ、前記内層をカットした内層ハーフカットが、略直線状に、前記湾曲部以外では前記外層ハーフカットに沿うように設けられ、少なくとも前記外層ハーフカットの前記湾曲部と前記内層ハーフカットに挟まれた領域の前記内層と前記外層の間に粘着層が設けられていることを特徴とする再封機能付き包装袋である。
【００１３】
本発明の再封機能付き包装袋は、以上のような構成であって、包装袋を開封するために、包装袋の１端辺を引き裂いて切り取るとき、外層ハーフカットと内層ハーフカットで切り離して、大きく１端辺を切り取り開封し開口部とすることができ、容易に内容物を取り出すことができる。
【００１４】
再封するときは、外層ハーフカットの湾曲部と内層ハーフカットに挟まれた領域の内層と外層の間に設けられた粘着層が、外層の突出した湾曲部の内面に出ているので、この湾曲部で開口部を覆うように折り曲げ、包装袋の反対の面に粘着層で貼り付けて再封することができる。
【００１５】
本発明の請求項２の発明は、外層と内層からなる積層フィルムを製袋した、背シール部と天シール部と地シール部を有する包装袋であって、
前記天シール部近傍に設けられた、前記外層をカットした外層ハーフカットには、前記包装袋の前記背シール部の無い面の一部で前記天シール部側に突出した湾曲部が設けられ、前記背シール部で一致し、前記内層をカットした内層ハーフカットが、略直線状に、前記湾曲部以外では前記外層ハーフカットに沿うように設けられ、前記背シール部で一致し、少なくとも前記外層ハーフカットの前記湾曲部と前記内層ハーフカットに挟まれた領域の前記内層と前記外層の間に粘着層が設けられていることを特徴とする再封機能付き包装袋である。
【００１６】
本発明は、再封機能付き包装袋が、背シール部と天シール部と地シール部を有する包装袋であって、上記の構成にすることによって、包装袋を開封するために、包装袋の天シール部を引き裂いて切り取るとき、背シール部で一致する外層ハーフカットと内層ハーフカットを、一致する背シール部より、引き裂き始めて、大きく天シール部側を切り取り開封し開口部とすることができ、容易に内容物を取り出すことができる。
【００１７】
再封するときは、外層ハーフカットの湾曲部と内層ハーフカットに挟まれた領域の内層と外層の間に設けられた粘着層が、外層の突出した湾曲部の内面に出ているので、この湾曲部で開口部を覆うように折り曲げ、包装袋の反対の背シールのある面に粘着層で貼り付けて再封することができる。
【００１８】
本発明の請求項３の発明は、外層と内層からなる積層フィルムを製袋した、側シール部と天シール部と地シール部を有する包装袋であって、
前記天シール部近傍に設けられた、前記外層をカットした外層ハーフカットには、前記包装袋の表裏いずれかの面の一部で前記天シール部側に突出した湾曲部が設けられ、前記外層ハーフカットは前記側シール部で一致し、前記内層をカットした内層ハーフカットが、略直線状に、前記湾曲部以外では前記外層ハーフカットに沿うように設けられ、前記側シール部で一致し、少なくとも前記外層ハーフカットの前記湾曲部と前記内層ハーフカットに挟まれた領域の前記内層と前記外層の間に粘着層が設けられていることを特徴とする再封機能付き包装袋である。
【００１９】
本発明は、再封機能付き包装袋が、側シール部と天シール部と地シール部を有する包装袋であって、上記の構成にすることによって、包装袋を開封するために、包装袋の天シール部を引き裂いて切り取るとき、側シール部で一致する外層ハーフカットと内層ハーフカットを、一致する側シール部より、引き裂き始めて、大きく天シール部側を切り取り開封し開口部とすることができ、容易に内容物を取り出すことができる。
【００２０】
再封するときは、外層ハーフカットの湾曲部と内層ハーフカットに挟まれた領域の内層と外層の間に設けられた粘着層が、外層の突出した湾曲部の内面に出ているので、この湾曲部で開口部を覆うように折り曲げ、包装袋の反対の面に粘着層で貼り付けて再封することができる。
【００２１】
本発明の請求項４の発明は、前記外層がポリエチレンテレフタレート層を有し、ポリエチレンテレフタレート層と前記内層の間に前記粘着層が設けられていることを特徴とする請求項１乃至３のいずれか１項に記載の再封機能付き包装袋である。
【００２２】
本発明はさらに、外層がポリエチレンテレフタレート層を有し、ポリエチレンテレフタレート層と内層の間に前記粘着層が設けられているので、粘着層とポリエチレンテレフタレート層の密着性が高く、剥がすときに、粘着層が内層側に取られることが無く、外層側に確実に残すことができる。また、外層にポリエチレンテレフタレート層があると、外層ハーフカットや、内層ハーフカットを入れるときに、入れやすくなる。
【発明の効果】
【００２３】
本発明の再封機能付き包装袋は、再封のための部材を包装袋に付加することなく、また、包装袋の１端辺を切断することにより大きく開封して、内容物が容易に取り出すことができる。
【図面の簡単な説明】
【００２４】
【図１】本発明の再封機能付き包装袋の第１の実施形態を模式的に平面で示した説明図である。
【図２】本発明の再封機能付き包装袋の第１の実施形態の湾曲部周辺の断面図である。
【図３】（Ａ）本発明の再封機能付き包装袋の第１の実施形態に内容物を充填された天シール部近傍部分裏面の斜視図である。（Ｂ）本発明の再封機能付き包装袋の第１の実施形態を開封している天シール部近傍部分裏面の斜視図である。
【図４】本発明の再封機能付き包装袋の第１の実施形態を開封した状態を模式的に示す天シール部近傍部分表面の斜視図である。
【図５】本発明の再封機能付き包装袋の第１の実施形態を開封した状態を模式的に示す説明図である。
【図６】本発明の再封機能付き包装袋の第１の実施形態を再封する状態を模式的に示す表面の斜視図である。
【図７】本発明の再封機能付き包装袋の第１の実施形態を再封した状態を模式的に示す裏面の斜視図である。
【図８】本発明の再封機能付き包装袋の第２の実施形態を模式的に平面で示した説明図である。
【図９】本発明の再封機能付き包装袋の第２の実施形態を開封した状態を模式的に平面で示した説明図である。
【発明を実施するための形態】
【００２５】
＜第１の実施形態＞
以下、本発明を実施するための第１の実施形態につき説明する。
図１は、本発明の再封機能付き包装袋の第１の実施形態の周辺部を模式的に平面で示した説明図、図２は、本発明の再封機能付き包装袋の第１の実施形態の周辺部を模式的に断面で示した部分説明図である。
【００２６】
第１の実施形態の再封機能付き包装袋１００は、外層１と内層２からなる積層フィルム１０１を製袋した、図１のように、天シール部３と地シール部４を有し、図１では見えないが、図の背面側に背シール部５を設けたピロー包装袋である。
【００２７】
天シール部３の近傍には積層フィルム１０１の外層１に設けた外層ハーフカット６が設けられていて、外層ハーフカット６には、天シール部３側に突出した湾曲部７が設けられている。外層ハーフカット６の両端は、包装袋１００の背面側の背シール部５まで、略直線状に設けられ、両端が背シール部５で一致している。
【００２８】
点線で描かれているのは、内層２に設けた内層ハーフカット８であり、内層ハーフカット８は、略直線状に、湾曲部７以外では外層ハーフカット６に沿うように設けられている。そして、内層ハーフカット８の両端は、背シール部５で一致している。
【００２９】
内層ハーフカット８が、外層ハーフカット６に沿うように設けられているとは、湾曲部７以外の略直線状に設けられた外層ハーフカット６と積層フィルム１０１の厚さ方向で重ならずに近傍に並んでいることを意味している。またその距離としては、外層ハーフカット６の略直線部で０．５ｍｍから、２．０ｍｍの間であることが好ましい。
【００３０】
０．５ｍｍより近いと製袋や充填時に切れてしまい、使用出来ないことがある。また、２．０ｍｍより離れていると、開封しようとしたときに、外層ハーフカット６ならびに内層ハーフカット８で引き裂くことが出来ず、その結果、湾曲部７が破れてしまったり、湾曲部７で内層２が残ってしまったりする恐れがある。
【００３１】
図２は、内層ハーフカット８に直行する方向に積層フィルム１０１を切断した湾曲部７周辺の断面図である。外層１には外層ハーフカット６が設けられ、内層２には内層ハーフカット８が設けられていて、湾曲部７においては、少なくとも外層ハーフカット６と内層ハーフカット８に挟まれた領域の外層１と内層２との間に粘着層９が設けられている。
【００３２】
外層１と内層２との間をすべて粘着層９としても良いし、湾曲突出部１２になる領域の外層１と内層２の間にのみ粘着層９を設けて、それ以外の領域の外層１と内層２の間を硬化性の接着層としても良い。
【００３３】
このような積層フィルム１０１の側部を再封機能付き包装袋１００の裏面でつき合わせて重ね、背シール部５を作り、天シール部３及び地シール部４をシールして、再封機能付き包装袋１００を製造する。
【００３４】
図３（Ａ）は、内容物を充填した再封機能付き包装袋１００の天シール部３近傍部分の背シール部５のある裏面の斜視図である。天シール部３の近傍には天シール部３と略並行に直線状の外層ハーフカット６が設けられていて、外層ハーフカット６と内層ハーフカット８は、背シール部５にまで設けられている。
【００３５】
背シール部５の外層ハーフカット６の端部には、Ｖ字型のノッチ１０が設けられている。このノッチ１０の両側をそれぞれ持って、引きちぎるようにすると図３（Ｂ）のようにノッチ１０を基点として外層１が外層ハーフカット６で切れていき、また、内層２も内層ハーフカット８で切れていく。
【００３６】
そして、背シール部５から前面部まで外層ハーフカット６と内層ハーフカット８を切り開いていくと、前面部では、外層ハーフカット６と内層ハーフカット８の位置がずれ、内層ハーフカットの位置を境にして、再封機能付き包装袋１００の天シール部３側の端部が切り離される。このようにして、再封機能付き包装袋１００の開封が行われていく。
【００３７】
図４は、開封した再封機能付き包装袋１００を模式的に示す天シール部近傍部分表面の斜視図、図５は、開封した再封機能付き包装袋１００の断面を模式的に示す説明図である。
【００３８】
天シール部３側が切り取られることによって、内容物を収納した部分には開口部１１があいていて大きく開封されている。開口部１１の背シール部５の無い表面側には、湾曲部７で設けられた湾曲突出部１２が形成されている。
【００３９】
また、切り取られた天シール部３側には、外層１が湾曲突出部１２に取られて、外層１がなく内層２だけになった、湾曲部７と同形状の部分が形成されている。
【００４０】
開口部１１が設けられた内容物が収納された部分から、内容物を一部取り出して、残りを再封する場合は、図６のように、湾曲突出部１２を背シール部５のある裏面側に、開口部１１を覆うように折っていき、図７のように、背シール部５のある裏面側に、露出した粘着層９で湾曲突出部１２を貼り付けることによって、再封することができる。
【００４１】
以上のように、再封機能付き包装袋１００は、背シール部５に設けたノッチ１０から、簡単に引き裂いて天シール部３側を切り取ることができ、大きく開口することができる。そして、再封するときは、外層ハーフカット６の湾曲部７と内層ハーフカット８に挟まれた領域の内層２と外層１の間に設けられた粘着層９が、外層１の突出した湾曲部７で形成された湾曲突出部１２の内面に出ているので、この湾曲突出部１２で開口部１１を覆うように折り曲げ、再封機能付き包装袋１００の反対の背シール５のある面に粘着層９で貼り付けて再封することができる。
【００４２】
このようにして、再封機能付き包装袋１００は、再封のための部材を包装袋に付加することなく、また、再封機能付き包装袋１００の１端辺の天シール部３側を切り取ることにより大きく開封して、内容物を容易に取り出すことができる。
【００４３】
＜第２の実施形態＞
以下本発明を実施するための第２の実施形態につき説明する。
図８は、本発明の再封機能付き包装袋の第２の実施形態を模式的に平面で示した説明図である。
【００４４】
第２の実施形態の再封機能付き包装袋２００は、外層１と内層２からなる積層フィルム１０１を製袋した、図８のように、２枚のフィルムが表裏で重ねあわされて、２つの側シ
ール部１３ａ、１３ｂと天シール部３と地シール部４を設けた４方シール包装袋である。
【００４５】
天シール部３の近傍には積層フィルム１０１の外層１に設けた外層ハーフカット６が設けられていて、表フィルムの外層ハーフカット６には、天シール部３側に突出した湾曲部７が設けられ、その外層ハーフカット６の両端は、再封機能付き包装袋２００の２つの側シール部１３ａ、１３ｂまで、略直線状に設けられ、裏フィルムの外層ハーフカット６は、略直線状に設けられている。そして、表裏のフィルムに設けられた外層ハーフカット６の端部は側シール部１３ａ、および、側シール部１３ｂで一致している。
【００４６】
点線で描かれているのは、内層２に設けた内層ハーフカット８であり、内層ハーフカット８は、略直線状に、湾曲部７以外では外層ハーフカット６に沿うように、表裏のフィルムに設けられている。そして、表裏のフィルムに設けられた内層ハーフカット８の端部は側シール部１３ａ、および、側シール部１３ｂで一致している。
【００４７】
そして、側シール部１３ａと側シール部１３ｂには、ノッチ１０が、表裏のフィルムに設けられた外層ハーフカット６の端部が一致し、表裏のフィルムに設けられた内層ハーフカット８の端部が一致する位置に設けられている。ノッチ１０は側シール部１３ａと側シール部１３ｂのいずれか一方にのみ設けられていても良い。
【００４８】
内層ハーフカット８が、外層ハーフカット６に沿うように設けられているとは、湾曲部７以外の略直線状に設けられた外層ハーフカット６と積層フィルム１０１の厚さ方向で重ならずに近傍に並んでいることを意味している。またその距離としては、０．５ｍｍから、２．０ｍｍの間であることが好ましい。
【００４９】
５ｍｍより近いと製袋や充填時に切れてしまい、使用出来ないことがある。また、２．０ｍｍより離れていると、開封しようとしたときに、外層ハーフカット６ならびに内層ハーフカット８で引き裂くことが出来ず、その結果、湾曲部７が破れてしまったり、湾曲部７で内層２が残ってしまったりする恐れがある。
【００５０】
本例の再封機能付き包装袋２００を製袋する積層フィルム１０１は、再封機能付き包装袋１００と同様である。したがって、内層ハーフカット８に直行する方向に積層フィルム１０１を切断した湾曲部７周辺の断面図は図２と同じである。外層１には外層ハーフカット６が設けられ、内層２には内層ハーフカット８が設けられていて、湾曲部７においては、少なくとも外層ハーフカット６と内層ハーフカット８に挟まれた領域の外層１と内層２との間に粘着層９が設けられている。
【００５１】
外層１と内層２との間をすべて粘着層９としても良いし、湾曲突出部１２になる領域の外層１と内層２の間にのみ粘着層９を設けて、それ以外の領域の外層１と内層２の間を硬化性の接着層としても良い。
【００５２】
再封機能付き包装袋２００のを開封するには、このノッチ１０の上下両側をそれぞれ持って、引きちぎるように開封すると、ノッチ１０を基点として外層１が外層ハーフカット６で切れていき、また、内層２も内層ハーフカット８で切れていく。このようにして、再封機能付き包装袋２００の開封が行われていく。
【００５３】
図９は、開封した再封機能付き包装袋２００である。天シール部３側が切り取られてことによって、内容物を収納した部分には開口部１１があいていて大きく開封されている。表フィルム側には、湾曲部７で設けられた湾曲突出部１２が形成されている。
【００５４】
また、切り取られた天シール部３側には、外層１が湾曲突出部１２に取られて、外層１
がなく内層２だけになった、湾曲部７と同形状の部分が形成されている。
【００５５】
内容物を一部取り出して、残りを再封する場合は、湾曲突出部１２を裏フィルム側に、開口部１１を覆うように折っていき、露出した粘着層９で湾曲突出部１２を裏フィルム側に、貼り付けることによって、再封することができる。
【００５６】
以上のように、再封機能付き包装袋２００は、側シール部１３ａ、あるいは、側シール部１３ｂに設けたノッチ１０から、簡単に引き裂いて天シール部３側を切り取ることができ、大きく開口することができる。そして、再封するときは、外層ハーフカット６の湾曲部７と内層ハーフカット８に挟まれた領域の内層２と外層１の間に設けられた粘着層９が、外層１の突出した湾曲部７で形成された湾曲突出部１２の内面に出ているので、この湾曲突出部１２で開口部１１を覆うように折り曲げ、再封機能付き包装袋２００の裏フィルム面に粘着層９で貼り付けて再封することができる。
【００５７】
このようにして、再封機能付き包装袋２００は、再封のための部材を包装袋に付加することなく、また、包装袋の１端辺の天シール部３側を切り取ることにより大きく開封して、内容物を容易に取り出すことができる。
【００５８】
再封機能付き包装袋２００は、４方シール包装袋であるが、１枚のフィルムを折り返し重ね合わせて、１つの側シールと天シール部３と地シール部４を設けた３方シール包装袋としても良い。また底部に折込部を設けたスタンディングパウチとしても良い。
また、再封機能付き包装袋１００は、ピロー包装としたが、側部に折込部を設けたサイドガゼット袋としても良い。
【００５９】
再封機能付き包装袋は、少なくとも一部が粘着層９を介して貼られた外層１と内層２からなる積層フィルム１０１が製袋されてなるが、外層１や内層２には、プラスチックが好ましく用いられる。また、外層１あるいは内層２のいずれかの層にアルミニウム箔などの金属箔を有するようにしてもかまわない。
【００６０】
外層１に用いるプラスチックとしては、ナイロン、ポリエチレンテレフタレート、ポリプロピレンなどが使用できる。そして、その２軸延伸、あるいは、１軸延伸、未延伸のプラスチックフィルムが好ましく使用できる。その厚さは好ましくは、１２〜５０μｍである。
【００６１】
外層１を多層にして設けても良い。多層の外層１としては、外側から、外層基材Ａ／外層基材Ｂとすると、ポリエチレンテレフタレート／ナイロン、ナイロン／ポリエチレンテレフタレート、ナイロン／無機酸化物蒸着ポリエチレンテレフタレート、ナイロン／アルミニウム蒸着ポリエチレンテレフタレート、ポリプロピレン／ポリエチレンテレフタレート、ポリプロピレン／無機酸化物蒸着ポリエチレンテレフタレートなどの積層したフィルムを用いることができる。さらには外層基材Ａと外層基材Ｂの間に、アルミニウム箔を挟んだ構成としても良い。
【００６２】
外層１がポリエチレンテレフタレート層を有し、粘着層９に接する面にポリエチレンテレフタレート層があることが好ましい。ポリエチレンテレフタレートは表面の濡れ性が高く、積層すると粘着層９との密着性が高く、剥がした場合に粘着層９が内層２側に取られることが無く、粘着層９がポリエチレンテレフタレート層に残り、再封時に粘着させることができる。
【００６３】
内層２には、熱溶融性樹脂が用いられる。ポリプロピレンや、低密度ポリエチレン、直鎖状低密度ポリエチレン、あるいは、酸変性ポリエチレンなどが用いられる。また、内層
２として、ナイロン、ポリエチレンテレフタレート、ポリプロピレンなどの２軸延伸、あるいは、１軸延伸のフィルムに、熱溶融性樹脂を積層し、多層の内層２としても良い。
【００６４】
また、内層２に多層の共押し出しフィルムを用いても良い。多層の共押し出しフィルムの内層２としては、低密度ポリエチレンや高密度ポリエチレンを中間層として、両面に直鎖状低密度ポリエチレンの層を設けたものなどを用いることができる。
【００６５】
熱溶融性樹脂の厚さは、内容物の量によって、調整されるものであるが、３０から１００μｍが好ましく使用できる。
【００６６】
また、絵柄印刷層を外層１の表面に設けられるが、裏面に設けることもできる。また、外層基材Ａと外層基材Ｂとからなる多層の外層１の場合は、外層基材Ａを印刷基材として、外層基材Ａと外層基材Ｂの間に絵柄印刷層を設けることができる。絵柄印刷層を設ける印刷方式は、特に限定するものではないが、通常、グラビア印刷、あるいは、フレキソ印刷が用いられる。
【００６７】
絵柄印刷層を設ける場合、外層基材Ａと外層基材Ｂとからなる多層の外層１とし、外層基材Ａを印刷基材として、外層基材Ａと外層基材Ｂの間に絵柄印刷層を設けることによって、粘着層９に絵柄印刷層が直接接しないので、密着力の弱い絵柄印刷層が外層１から剥がれて、粘着層９が内層２側に移行することが無い。
【００６８】
粘着層９に用いる粘着剤としては、合成ゴム系粘着剤、アクリル樹脂系粘着剤、ポリビニルエーテル樹脂系粘着剤、ウレタン樹脂系粘着剤、シリコーン樹脂系粘着剤などが挙げられる。
【００６９】
合成ゴム系粘着剤の具体例としては、スチレン−ブタジエンゴム、ポリイソブチレンゴム、イソブチレン−イソプレンゴム、イソプレンゴム、スチレン−イソプレンブロック共重合体、スチレン−ブタジエンブロック共重合体、スチレン−エチレン−ブチレンブロック共重合体、エチレン−酢酸ビニル熱可塑性エラストマーなどが挙げられる。
【００７０】
また、アクリル樹脂系粘着剤の具体例としては、アクリル酸、アクリル酸メチル、アクリル酸エチル、アクリル酸プロピル、アクリル酸ブチル、アクリル酸２−エチルヘキシル、メタクリル酸エチル、メタクリル酸ブチル、アクリロニトリルなどの単独重合体若しくは共重合体などが挙げられる。
【００７１】
ポリビニルエーテル樹脂系粘着剤の具体例としては、ポリビニルエーテル、ポリビニルイソブチルエーテルなどが挙げられる。さらに、シリコーン樹脂系粘着剤の具体例としては、ジメチルポリシロキサンなどが挙げられる。これらの粘着剤は、１種単独でまたは２種以上を組み合わせて用いることができる。
【００７２】
湾曲突出部１２にあたる領域の内層２の貼り合わせる面に、あらかじめ剥離剤を塗布しておいて、外層１と粘着剤で貼り合わせてもよい。このようにすることによって、湾曲突出部１２において、外側から順に、外層１、粘着層９、剥離剤層、内層２の層構成となり、開封のときに、湾曲突出部１２で粘着層９と剥離剤層で剥がれて、外層１側に粘着層９を残すことができ、再封するときに粘着層９で貼り付けて確実に再封することができる。
【実施例】
【００７３】
以下に、本発明の具体的実施例について説明する。
【００７４】
片面コロナ処理の２軸延伸ポリプロピレンフィルム２０μｍを用意し、このコロナ処理
面に、ウレタン系インキを用いグラビア印刷で絵柄印刷層を設けた、この絵柄印刷層面にウレタン系接着剤を塗布してドライラミネーションにて、片面コロナ処理の２軸延伸ポリエッチレンテレフタレートフィルム１２μｍの未処理面を貼り合わせ外層１を作成した。さらにこの２軸延伸ポリエッチレンテレフタレートフィルムのコロナ処理面に、アクリル系粘着剤を塗布して、内層２の未延伸ポリプロピレンのコロナ処理面と貼り合せて積層フィルム１０１を作成した。
【００７５】
この積層フィルム１０１を１行製袋用の幅にスリットし、次に、スリットした積層フィルム１０１の外層１側からロータリーカット方式で突出した湾曲部７を持つ外層ハーフカット６を絵柄印刷に見当を合わせて外層１に設けた。また、内層２側から、同様にロータリーカット方式で直線状の内層ハーフカット８を絵柄印刷に見当を合わせて内層２に設け製袋用原反とした。
【００７６】
この製袋用原反をピロー包装機で、複数のスティック状の菓子からなる内容物を包装しながら製袋し、第１の実施形態のピロー包装袋を作成した。ピロー包装袋の天シール部３の長さは９３ｍｍ、背シール部５の長さは１３５ｍｍである。
【００７７】
この内容物を包装したピロー包装袋を背シール部５に設けたＶノッチ１０の上下をそれぞれ指で摘んで、背シール部５を切り裂き、さらに切り開いていくと、図３の（Ａ）から（Ｂ）のように開いていき、図４のように、ピロー包装袋の天シール部３側が切り取られ、開口部１１が開けられる。
【００７８】
このとき、湾曲突出部１２では、外層１が地シール部４側に残り、内層２が天シール部３側に取られる。そして、粘着層９は外層１の２軸延伸ポリエチレンテレフタレートフィルム（ポリエチレンテレフタレート層）面に残っていた。
【００７９】
開口部１１より、内容物のスティック状の菓子を一本取り出し、残りはそのままにして、このピロー包装袋を再封した。再封は、図６のように、湾曲突出部１２を背シール部５のある裏面側に、開口部１１を覆うように折っていき、図７のように、背シール部５のある裏面側に、露出した粘着層９で湾曲突出部１２を貼り付けることによって、再封することができた。
【符号の説明】
【００８０】
１００、２００・・・再封機能付き包装袋
１０１・・・積層フィルム
１・・・外層
２・・・内層
３・・・天シール部
４・・・地シール部
５・・・背シール部
６・・・外層ハーフカット
７・・・湾曲部
８・・・内層ハーフカット
９・・・粘着層
１０・・・ノッチ
１１・・・開口部
１２・・・湾曲突出部
１３ａ、１３ｂ・・・側シール部
【図１】
2012081967.tif 000003
【図２】
2012081967.tif 000004
【図３】
2012081967.tif 000005
【図４】
2012081967.tif 000006
【図５】
2012081967.tif 000007
【図６】
2012081967.tif 000008
【図７】
2012081967.tif 000009
【図８】
2012081967.tif 000010
【図９】
2012081967.tif 000011